(57)【要約】      （修正有）【課題】組立が容易な梱包箱であって、表裏面をリバーシブルに使用でき、梱包に利用した後には商品陳列の台等に使うのに好適な梱包箱を提供する。【解決手段】表裏両面をリバーシブルに使用可能な梱包箱であって、前面板１２、底面板１１、後面板１３、天面板１４、蓋板１５が順に連設されると共に、前面板１２には舌片板１８ａ、１８ｂが両側縁に連設され、底面板１１には側面板１６ａ、１６ｂが両側縁に連設され、後面板１３には舌片板１９ａ、１９ｂが両側縁に連設され、蓋板１５には差込板２０ａ、２０ｂが両側縁に連設され、側面板１６ｂには、折込板１７ａ，１７ｂが連設されており、表裏面のいずれか一面に模様が施され、他面は無地からなる梱包箱を提供する。【選択図】図３
0003145692.tif 000002
【実用新案登録請求の範囲】
【請求項１】
表裏両面をリバーシブルに使用可能な梱包箱であって、
直角四辺形状の底面板と、
上記底面板の一側縁に折曲部を介して連設される直角四辺形状の前面板と、
上記底板面と上記前面板とが連設される一側縁と相対する位置の一側縁に折曲部を介して連設され、上記前面板と同一形状からなる後面板と、
上記底面板と上記後面板とが連設される一側縁と相対する位置の一側縁に折曲部を介して連設され、上記底面板と同一形状からなる天面板と、
上記後面板と上記天面板とが連設される一側縁と相対する位置の一側縁に折曲部を介して連設され、上記前面板ないしは後面板と同一形状からなる蓋板と、
上記底面板において、上記前面板と後面板とが連設された側縁と直角な二つの側縁に折曲部を介して夫々連設され、上記前面板ないしは後面板の連設方向の突出幅と同一の突出幅を有する第一及び第二の側面板と、
上記第一及び第二の側面板において、上記底面板と上記第一及び第二の側面板とが連設される側縁と相対する位置の二つの側縁に折曲部を介して夫々連設され、上記第一ないしは第二の側面板の突出幅以下の突出幅を有する第一及び第二の折込板と、
上記前面板において、上記底面板が連設される側縁と直角なニつの側縁に折曲部を介して夫々連設された第一及び第二の舌片板と、
上記後面板において、上記底面板が連設される側縁と直角なニつの側縁に折曲部を介して夫々連設された第三及び第四の舌片板と、
上記蓋板において、上記天面板が連設される側縁と直角な二つの側縁に折曲部を介して夫々連設された第一及び第二の差込板と、を有し、
表裏面のいずれか一面には模様が施され、他面は無地からなる、
ことを特徴とする梱包箱。
【請求項２】
上記無地の面には、光沢処理が施されている、
請求項１記載の梱包箱。
【請求項３】
上記無地の面には、防水処理が施されている、
請求項１又は２記載の梱包箱。
【請求項４】
上記第一及び第二の差込板は、突出方向に向かって幅狭に構成されている、
請求項１乃至３いずれかの項に記載の梱包箱。
【請求項５】
表裏面のいずれか一面には模様が施され、他面には、当該模様とは異なる模様が施されている、
請求項１乃至４いずれかの項に記載の梱包箱。
【考案の詳細な説明】
【技術分野】
【０００１】
本考案は、組立式の梱包箱であって、表裏面が利用可能なリバーシブルな梱包箱に関する。
【背景技術】
【０００２】
従来、商品の梱包には、簡単な操作で組み立てることのできる梱包箱が用いられている。
【０００３】
例えば、特許文献１では、内側舌片部における切込み線に沿って係止片部を内側から外側に押圧して各係止片部を外側に向けて僅かに切り起こすだけで、対応する係止窓にそれぞれ難なく嵌入係合させて梱包箱の基本形状を的確に保持することができ、またその係合解除操作も、各係止片部を外側から内側に押圧して係止窓より単に押し出すだけで難なく行うことができるため、全体として簡単な操作で梱包箱の組立及び組立解除作業を効率よく行い得るリバーシブルな梱包箱が提案されている。
【０００４】
【特許文献１】実用新案登録第２５５６１７１号公報
【考案の開示】
【考案が解決しようとする課題】
【０００５】
しかしながら、梱包箱は、使用された後はゴミになって嵩張るだけで、商品を扱う店頭などでは邪魔なものでしかなかった。
一方において、商品の陳列ないしはディスプレイにおいては、商品を見やすくしたり、多くの商品を見せたりするために段組みさせることが行われている。この段組みのためには、台が必要となるが、専用の台を用意するのにはコストがかかるし、空いた梱包箱を利用しにも、梱包箱の外側にプリント等された広告や模様のせいで美観を損ねることになってしまっていた。
【０００６】
そこで、本考案は、組立が容易な梱包箱であって、表裏面をリバーシブルに使用でき、梱包に利用した後には商品陳列の台等に使うのに好適な梱包箱を提供することを目的とする。
【課題を解決するための手段】
【０００７】
上記目的を達成するため、本発明に係る梱包箱は、表裏両面をリバーシブルに使用可能な梱包箱であって、直角四辺形状の底面板と、上記底面板の一側縁に折曲部を介して連設される直角四辺形状の前面板と、上記底板面と上記前面板とが連設される一側縁と相対する位置の一側縁に折曲部を介して連設され、上記前面板と同一形状からなる後面板と、上記底面板と上記後面板とが連設される一側縁と相対する位置の一側縁に折曲部を介して連設され、上記底面板と同一形状からなる天面板と、上記後面板と上記天面板とが連設される一側縁と相対する位置の一側縁に折曲部を介して連設され、上記前面板ないしは後面板と同一形状からなる蓋板と、上記底面板において、上記前面板と後面板とが連設された側縁と直角な二つの側縁に折曲部を介して夫々連設され、上記前面板ないしは後面板の連設方向の突出幅と同一の突出幅を有する第一及び第二の側面板と、上記第一及び第二の側面板において、上記底面板と上記第一及び第二の側面板とが連設される側縁と相対する位置の二つの側縁に折曲部を介して夫々連設され、上記第一ないしは第二の側面板の突出幅以下の突出幅を有する第一及び第二の折込板と、上記前面板において、上記底面板が連設される側縁と直角なニつの側縁に折曲部を介して夫々連設された第一及び第二の舌片板と、上記後面板において、上記底面板が連設される側縁と直角なニつの側縁に折曲部を介して夫々連設された第三及び第四の舌片板と、上記蓋板において、上記天面板が連設される側縁と直角な二つの側縁に折曲部を介して夫々連設された第一及び第二の差込板と、を有し、表裏面のいずれか一面には模様が施され、他面は無地からなることを特徴とする。
【０００８】
また、上記無地の面には、光沢処理が施されていてもよい。
【０００９】
また、上記無地の面には、防水処理が施されていてもよい。
【００１０】
また、上記第一及び第二の差込板は、突出方向に向かって幅狭に構成されていてもよい。
【００１１】
表裏面のいずれか一面には模様が施され、他面には、当該模様とは異なる模様が施されていてもよい。
【考案の効果】
【００１２】
本考案に係る梱包箱は、組立及び分解が容易な上、梱包に利用し終わった後には、梱包時には内側に向いていた無地の面を外側にして組み立てることで、無地の面からなる美観に優れた商品陳列用の台として利用することができる。
【考案を実施するための最良の形態】
【００１３】
以下、本発明の実施形態に係る梱包箱について、図面を参照して説明する。
図１は、本実施形態に係る梱包箱１の外観を示す斜視図である。
梱包箱１は、図１に示すように、組み立てた状態において、直方体形状からなる。この梱包箱の素材には、段ボール紙や厚紙等、折曲自在で特定の形状を維持することのできる素材を用いることが可能である。
【００１４】
なお、本実施形態においては、梱包箱１は、表面には、梱包する梱包物の内容等に即した広告等の模様が印刷されており、裏面は、無地となっている。なお、いずれの面を表面ないしは裏面としてもよい。
【００１５】
図２は、梱包箱１のブランク状態を示した図である。
梱包箱１は、前面板１２、後面板１３、天面板１４、蓋板１５、側面板１６ａ、１６ｂ、折込板１７ａ、１７ｂ、舌片板１８ａ、１８ｂ、舌片板１９ａ、１９ｂ、差込板２０ａ、２０ｂからなり、各板は山折りないしは谷折りのいずれにも折曲可能に連設されている。
また、各板の連設部分は、折返部ｆ１〜ｆ１４を構成しており、折返部ｆ１、ｆ３、ｆ８、ｆ１０は互いに対して平行である。また、折返部ｆ２、ｆ４、ｆ５、ｆ６、ｆ７、ｆ９、ｆ１１、ｆ１２、ｆ１３、ｆ１４は互いに対して平行であると共に、折返部ｆ１、ｆ３、ｆ８、ｆ１０と直角をなしている。
【００１６】
底面板１は、相対する２つの短辺と、相対する２つの長辺とを備えた直角四辺形状からなり、四つの側縁は折返部ｆ１、ｆ２、ｆ３、ｆ４を形成している。
【００１７】
また、底面板１の側縁には、折返部ｆ１を介して前面板１２が、折返部ｆ２を介して側面板１６ａが、折返部ｆ３を介して後面板１３が、折返部ｆ４を介して側面板１６ｂが連設されている。
【００１８】
前面板１２は、相対する２つの短辺と、相対する二つの長辺とを備えた直角四辺形状からなり、折返部ｆ１を介して底面板１１に連設されている。
また、折返部ｆ５、ｆ６を介して、夫々、舌片板１８ａ、１８ｂが連設されている。
【００１９】
後面板１３は、前面板１２と同一の形状からなり、折返部ｆ３を介して底面板１１に連設されている。
また、折返部ｆ７、ｆ９を介して、夫々、舌片板１９ａ、１９ｂが連設され、折返部ｆ８を介して天面板１４が連設されている。
【００２０】
天面板１４は、底面板１１と同一の形状からなり、折返部ｆ８を介して後面板１３に連設されている。
また、折返部ｆ１０を介して蓋板１５が連設されている。
【００２１】
蓋板１５は、前面板１１ないしは後面板１３と同一の形状からなり、折返部ｆ１０を介して天面板１４に連設されている。
また、折返部ｆ１１、ｆ１２を介して、夫々、差込板２０ａ、２０ｂが連設されている。
【００２２】
側面板１６ａ、１６ｂは、直角四辺形状からなり、底面板１１から突出する方向の長さ（以下、「突出幅」という）は、前面板１２の辺縁に構成される折返部ｆ５、ｆ６の長さ、ないしは、後面板１３の辺縁に構成される折返部ｆ７、ｆ９の長さと同一に構成されている。
【００２３】
また、側面板１６ａ、１６ｂには夫々、折返部ｆ１３、ｆ１４を介して折返板１７ａ、１７ｂが連設されている。
折返板１７ａ、１７ｂは、直角四辺形状からなり、その突出幅が、側面板１６ａ、１６ｂの突出幅と同一あるいはそれよりも短く構成されている。
【００２４】
舌片板１８ａ、１８ｂは、一の角部を切欠した略直角四辺形状からなり、夫々、折返部ｆ５、ｆ６を介して前面板１２に連設されている。
この舌片板１８ａ、１８ｂは、その突出幅が、底面板１１の折返部ｆ２、ｆ４の長さと同一あるいはそれよりも短く構成されている。
【００２５】
舌片板１９ａ、１９ｂは、一の角部を切欠した略直角四辺形状からなり、夫々、折返部ｆ７、ｆ９を介して後面板１３に連設されている。
この舌片板１９ａ、１９ｂは、舌片板１８ａ、１８ｂと同様に、その突出幅が、底面板１１の折返部ｆ２、ｆ４の長さと同一あるいはそれよりも短く構成されており、さらに好適には、舌片板１８ａ、１８ｂの突出幅と同一の長さに構成されている。
【００２６】
差込板２０ａ、２０ｂは、折返部ｆ１１、ｆ１２から突出する向きに幅狭となる半楕円形状からなり、夫々、折返部ｆ１１、ｆ１２を介して蓋板１５に連設されている。
差込板２０ａ、２０ｂは、その突出幅が、最長の部分において、底面板１１の折返部ｆ２、ｆ４の長さと同一あるいはそれよりも短く構成されている。
【００２７】
次に、本実施形態に係る梱包箱１の組立工程について、図３及び図４を参照して説明する。なお、以下においては、まず、梱包物を梱包した状態とするべく、各板の裏面が他の板と向かい合わせとなり、裏面が内側に向くように組み立てる。
まず、前面板１２及び後面板１３を夫々、折曲部ｆ１、ｆ３において折り曲げ、前面板１２と後面板１３が互いと向き合うように、底面板１１に対し垂直に起立させる。
【００２８】
そして、舌片板１８ａ、１８ｂを夫々、折曲部ｆ５、ｆ６において、舌片板１８ａ、１８ｂが互いと向き合うように、前面板１２に対して垂直に折り曲げる。
また、同様にして、舌片板１９ａ、１９ｂを夫々、折曲部ｆ７、ｆ９において、舌片板１９ａ、１９ｂが互いと向き合うように、後面板１３に対して垂直に折り曲げる。
【００２９】
続いて、側面板１６ａ、１６ｂを夫々、折曲部ｆ２、ｆ４において折り曲げ、側面板１６ａ、１６が互いに向き合うように、底面板１１に対して垂直に起立させる。
さらに、折込板１７ａ、１７ｂを夫々、折曲部ｆ１３、ｆ１４において折り曲げ、舌片板１８ａ、１８ｂに当接するように、内側に折り込む。
【００３０】
それから、天面板１４を、折曲部ｆ８において、前面板１２及び後面板１３と直角をなすと共に、底面板１１に対し平行となるように折り曲げる。
【００３１】
そして、蓋板１５を、折曲部ｆ１０において、天面板１４と直角をなすように折り曲げ、前面板１２に当接させる。
この際、予め、差込板２０ａ、２０ｂを夫々、ｆ１１、ｆ１２において、蓋板１５に対して垂直に起立させておき、蓋板２０ａ、２０ｂを、舌片板１８ａ、１８ｂと側面板１６ａ、１６ｂの間に差し込む。なお、このとき、差込板２０ａ、２０ｂの先端が円弧状になっていることから、角が引っ掛かることなく、差込板２０ａ、２０ｂを、舌片板１８ａ、１８ｂと側面板１６ａ、１６ｂの間に差し込むことができる。
【００３２】
これにより、梱包箱１が組み立てられ、表面が外側を向いて、印刷されている広告等の模様が外側に現れる。
梱包箱１内に梱包物を梱包するときは、蓋板１５を閉じる前の状態において、梱包物を詰め込み、差込板２０ａ、２０ｂを差し込ませながら蓋板１５を閉じるとよい。
【００３３】
以上の梱包箱１において、梱包した梱包物が取り出され、梱包箱１が利用された後においては、上記梱包箱１を組み立てた工程と逆の工程によって梱包箱１をブランク状態に戻すことができる。
それから、梱包箱１を表裏逆にした後、上記組立工程に従って組み立てることにより、梱包物を詰めておいたときには内側になっていた無地の裏面が外側に現れ、逆に、梱包物を詰めておいたときには外側になっていた表面は内側に隠れることになる。
これによれば、梱包物を取り出した後においては、梱包箱１は、無地の外観を有する直方体状の箱となって、商品陳列のための段組等に用いることができる。
【００３４】
なお、組立を解除した後、商品陳列のための裏面には、ニスを塗布する光沢コート、光沢コートの処理後に熱プレスを行なって鏡面光沢をつけるプレスコート、ポリプロピレンやポリエステル等のフィルムを接着剤により圧着加工するラミネート加工など、防水や光沢を目的とした表面処理を施してもよい。
【００３５】
また、別の実施形態に係る梱包箱として、裏面側に商品等を宣伝するための模様や文字等が施されていてもよい。
図５は、本実施形態に係る梱包箱３であって、梱包に利用された後、裏面が外側になるように組み立てたものを段組した状態を示している。
図５に示されているように、本実施形態に係る梱包箱１には、梱包箱３を段組して陳列する商品の宣伝文句として、裏面側に「○○○好評発売中」の文字が印字されている。
このように、裏面側に表面とは異なる模様等を施すことにより、裏面側を外側にして台を形成させたときに、台上に陳列する商品の宣伝を行ったり、店頭の美観向上を図ることが出来る。
【図面の簡単な説明】
【００３６】
【図１】本発明の実施形態に係る梱包箱を組み立てた状態を示す外観斜視図である。
【図２】本実施形態に係る梱包箱のブランクを示す図である。
【図３】本実施形態に係る梱包箱の組立工程を示す斜視図である。
【図４】本実施形態に係る梱包箱の組立工程を示す斜視図である。
【図５】本発明の別の実施形態に係る梱包箱を段組した状態を示す外観斜視図である。
【符号の説明】
【００３７】
１        梱包箱
１１      底面板
１２      前面板
１３      後面板
１４      天面板
１５      蓋板
１６ａ、１６ｂ      側面板
１７      折込板
１８ａ、１８ｂ      舌片板
１９ａ、１９ｂ      舌片板
２０ａ、２０ｂ      差込板
ｆ１〜ｆ１３        折返部
３        梱包箱
【図１】
0003145692.tif 000003
【図２】
0003145692.tif 000004
【図３】
0003145692.tif 000005
【図４】
0003145692.tif 000006
【図５】
0003145692.tif 000007